(57)【要約】【課題】捕集した異物の除去が容易にできるフィルタ部材を備えた洗濯機を提供することを目的とする。【解決手段】洗濯水を貯水する水槽１１と、水槽１１の底部から流出される洗濯水が通過するケース部材６０と、ケース部材６０に設けられ水槽１１の底部から流出される洗濯水が流れ込むケース流入路６１と、ケース流入路６１から流れ込んだ洗濯水がケース部材６０から流れ出るケース排出路６２と、ケース部材６０に着脱可能に設けられケース流入路６１とケース排出路６２の間に位置するフィルタ部材５０とを備え、フィルタ部材５０の底部５３には、複数の枡形貫通孔５５を設けると共に、複数の枡形貫通孔５５を左右に分けるように枡形貫通孔５５より幅の広い枡形貫通孔を設けない第１帯状部５８を前後方向に略直線状に配設したので、捕集した異物の除去が容易にできる。【選択図】図４
2015054107.tif 000002
【特許請求の範囲】
【請求項１】
洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材に前後方向に着脱可能に設けられ前記ケース流入路と前記ケース排出路の間に位置するフィルタ部材とを備え、
前記フィルタ部材は、底部と、前記底部の左右端部に形成された側部とを有し、前記底部には、複数の枡形貫通孔を設けると共に、前記複数の枡形貫通孔を左右に分けるように前記枡形貫通孔より幅の広い枡形貫通孔を設けない第１帯状部を前後方向に略直線状に配設したことを特徴とする洗濯機。
【請求項２】
前記底部には、複数本の突起が左右方向に第１の所定間隔を設けて並んだ突起列を前後方向に前記第１の所定間隔より大きい第２の所定間隔を設けて複数列設けたことを特徴とする請求項１に記載の洗濯機。
【請求項３】
前記第２の所定間隔は、１０ｍｍ以上とした請求項２に記載の洗濯機。
【請求項４】
前記ケース流入路は、前記ケース部材の天面に設けるとともに、前記ケース排出路は、前記ケース部材の一方の側面に設け、前記一方の側面と対向する他方の側面に対面するように装着される前記フィルタ部材の側部は、前後方向に長い枡形貫通孔を上下方向に複数並んだ枡形貫通孔列を複数列設け、前記枡形貫通孔列の間には、前記枡形貫通孔より幅の広い枡形貫通孔を設けない第２帯状部を配設したことを特徴とする請求項１〜３のいずれか１項に記載の洗濯機。
【発明の詳細な説明】
【技術分野】
【０００１】
本発明は、洗濯水に含まれる糸くず・髪の毛、衣服用のボタン、衣服用の付属具等の異物を洗濯水から捕集するフィルタ装置を備えた洗濯機に関する。
【背景技術】
【０００２】
従来、この種の洗濯機は、回転自在なる内槽を収納し洗濯水を溜める外槽と、この外槽の底部から流出する洗濯水に含まれる異物を捕集するフィルタ装置を備えたものが開示されている（例えば、特許文献１参照）。
【０００３】
図９は、特許文献１に記載された従来の洗濯機のフィルタ装置を示す断面図である。図９において、フィルタ装置１００は、筒形をなすフィルタケース１５０と、このフィルタケース１５０の内部に収納されたフィルタ体１５１とを備える。
【０００４】
フィルタ体１５１は、封止キャップ１５２の内側端に相対回転自在に連結された円板形の封止フランジ１５７と、フィルタケース１５０の内部に適長侵入して位置する端部フランジ１５８との間に架設されている。フィルタケース１５０は、上部が平坦化された円筒体であり、またフィルタ体１５１は、一側が開放された半筒形の部材であって、開放側を上向きとしてフィルタケース１５０の内部に挿入され、両側の上縁をフィルタケース１５０の内面に押し付けて、下部の三日月形の空間を上部空間と液密に分割するように装着されている。
【０００５】
このように装着されたフィルタ体１５１の大部分には、小面積の矩形のフィルタ目を縦横に並設してなる密フィルタ部１５１ａが設けられ、また前端近傍（封止フランジ１５７の側）の一部には、密フィルタ部１５１ａよりも大きい面積を有する矩形のフィルタ目を縦横に並設してなる粗フィルタ部１５１ｂが設けられている。ここで密フィルタ部１５１ａのフィルタ目の大きさは、主たる対象物である繊維屑の捕捉が可能に設定されており、粗フィルタ部１５１ｂのフィルタ目の大きさは、繊維屑の通過を許容し、繊維屑以外の捕捉対象物のうちの最小物、例えば、シャツのボタンの捕捉が可能に設定されている。
【先行技術文献】
【特許文献】
【０００６】
【特許文献１】特開２００６−２５５３１７号公報
【発明の概要】
【発明が解決しようとする課題】
【０００７】
しかしながら、前記従来の構成では、ケース流入路から流入する洗濯水中に混在する糸くず・髪の毛はフィルタを通過する際にフィルタ目に絡まりつくように捕集される。フィルタは多数回の洗濯運転の繰り返しにより捕集された糸くず・髪の毛等により目詰まりが生じるおそれがあることから、フィルタケースの一端に設けた開口からの着脱を可能とし、捕集物を除去して再装着することにより本来のフィルタの性能を維持するようにしている。ところが、糸くず・髪の毛のフィルタ目への絡みついてしまった時、使用者にとって、その絡みついた糸くず・髪の毛をフィルタから除去する作業が非常に面倒であるという課題を有していた。
【０００８】
本発明は、前記従来の課題を解決するもので、捕集した異物の除去が容易にできるフィルタ部材を備えた洗濯機を提供することを目的とする。
【課題を解決するための手段】
【０００９】
前記従来の課題を解決するために、本発明の洗濯機は、洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材に前後方向に着脱可能に設けられ前記ケース流入路と前記ケース排出路の間に位置するフィルタ部材とを備え、前記フィルタ部材は、底部と、前記底部の左右端部に形成された側部とを有し、前記底部には、複数の枡形貫通孔を設けると共に、前記複数の枡形貫通孔を左右に分けるように前記枡形貫通孔より幅の広い枡形貫通孔を設けない第１帯状部を前後方向に略直線状に配設したものである。
【００１０】
これによって、枡形貫通孔より幅の広い枡形貫通孔を設けない第１帯状部を、前後方向に、爪や指先、あるいは箸、歯ブラシなどの日常品でなぞることで、フィルタ部材の枡形貫通孔に捕集された大半の糸くず・髪の毛等を寄せ集め、容易に除去することができる。
【発明の効果】
【００１１】
本発明によれば、フィルタ部材の枡形貫通孔に捕集された大半の糸くず・髪の毛等を寄せ集め、フィルタ部材から容易に除去することができる。
【図面の簡単な説明】
【００１２】
【図１】本発明の実施の形態１における洗濯機の外観を示す斜視図
【図２】同洗濯機の概略縦断面図
【図３】同洗濯機のケース部材とフィルタ部材の分解斜視図
【図４】同洗濯機のケース部材にフィルタ部材が装着された状態の断面図
【図５】同洗濯機のケース部材にフィルタ部材の側面図
【図６】（ａ）同洗濯機のフィルタ部が糸くず・髪の毛を捕集した第１の状態を示す斜視図（ｂ）同洗濯機のフィルタ部が糸くず・髪の毛を捕集した第１の状態から糸くず・髪の毛を取り除く態様図
【図７】（ａ）同洗濯機のフィルタ部が糸くず・髪の毛を捕集した第２の状態を示す斜視図（ｂ）同洗濯機のフィルタ部が糸くず・髪の毛を捕集した第２の状態から糸くず・髪の毛を取り除く態様図
【図８】（ａ）同洗濯機のフィルタ部が糸くず・髪の毛を捕集した第３の状態を示す斜視図（ｂ）同洗濯機のフィルタ部が糸くず・髪の毛を捕集した第３の状態から糸くず・髪の毛を取り除く態様図
【図９】従来の洗濯機のフィルタ装置を示す断面図
【発明を実施するための形態】
【００１３】
第１の発明は、洗濯水を貯水する水槽と、前記水槽の底部から流出される洗濯水が通過するケース部材と、前記ケース部材に設けられ前記水槽の底部から流出される洗濯水が流れ込むケース流入路と、前記ケース部材に設けられ前記ケース流入路から流れ込んだ洗濯水が前記ケース部材から流れ出るケース排出路と、前記ケース部材に前後方向に着脱可能に設けられ前記ケース流入路と前記ケース排出路の間に位置するフィルタ部材とを備え、前記フィルタ部材は、底部と、前記底部の左右端部に形成された側部とを有し、前記底部には、複数の枡形貫通孔を設けると共に、前記複数の枡形貫通孔を左右に分けるように前記枡形貫通孔より幅の広い枡形貫通孔を設けない第１帯状部を前後方向に略直線状に配設したことを特徴とする洗濯機とすることにより、枡形貫通孔より幅の広い枡形貫通孔を設けない第１帯状部を、前後方向に、爪や指先、あるいは箸、歯ブラシなどの日常品でなぞることで、フィルタ部材の枡形貫通孔に捕集された大半の糸くず・髪の毛を寄せ集め、容易に除去することができる。
【００１４】
第２の発明は、特に、第１の発明の前記底部には、複数本の突起が左右方向に第１の所定間隔を設けて並んだ突起列を前後方向に前記第１の所定間隔より大きい第２の所定間隔を設けて複数列設けたことを特徴とする洗濯機とすることにより、爪や指先、あるいは先端が比較的細い身の周りの日用品（箸、歯ブラシなど）の先端が、複数本の突起の根元に届くようにすることができ、複数本の突起に絡みついた糸くず・髪の毛を容易に取り除くことができる。
【００１５】
第３の発明は、特に、第２の発明の前記第２の所定間隔は、１０ｍｍ以上とした洗濯機とすることにより、指の爪の先端が、複数本の突起の根元に確実に届くようにすることができ、複数本の突起に絡みついた糸くず・髪の毛を容易に取り除くことができる。
【００１６】
第４の発明は、特に、第１〜３のいずれか１つの発明の前記ケース流入路は、前記ケース部材の天面に設けるとともに、前記ケース排出路は、前記ケース部材の一方の側面に設け、前記一方の側面と対向する他方の側面に対面するように装着される前記フィルタ部材の側部は、前後方向に長い枡形貫通孔を上下方向に複数並んだ枡形貫通孔列を複数列設け、前記枡形貫通孔列の間には、前記枡形貫通孔より幅の広い枡形貫通孔を設けない第２帯状部を配設したことを特徴とする洗濯機とすることにより、他方の側面から排出される洗濯水の流量を減らすことなく、前後方向に形成された第２帯状部を、上下方向に、爪や指先、あるいは箸、歯ブラシなどの日常品でなぞることで、フィルタ部材の枡形貫通孔に捕集された大半の糸くず・髪の毛等を寄せ集め、容易に除去することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における洗濯機の外観を示す斜視図、図２は、同洗濯機の概略縦断面図、図３は、同洗濯機のケース部材とフィルタ部材の分解斜視図、図４は、同洗濯機のケース部材にフィルタ部材が装着された状態の断面図、図５は、同洗濯機のケース部材にフィルタ部材の側面図、図６（ａ）は、同洗濯機のフィルタ部が糸くず・髪の毛を捕集した第１の状態を示す斜視図、図６（ｂ）は、同洗濯機のフィルタ部が糸くず・髪の毛を捕集した第１の状態から糸くず・髪の毛を取り除く態様図、図７（ａ）は、同洗濯機のフィルタ部が糸くず・髪の毛を捕集した第２の状態を示す斜視図、図７（ｂ）は、同洗濯機のフィルタ部が糸くず・髪の毛を捕集した第２の状態から糸くず・髪の毛を取り除く態様図、図８（ａ）は、同洗濯機のフィルタ部が糸くず・髪の毛を捕集した第３の状態を示す斜視図、図８（ｂ）は、同洗濯機のフィルタ部が糸くず・髪の毛を捕集した第３の状態から糸くず・髪の毛を取り除く態様図である。
【００１９】
本実施の形態１においては、洗濯機は、ドラム式洗濯機を用いて説明し、以下、ドラム式洗濯機という。
【００２０】
図１に示すように、本実施形態のドラム式洗濯機は、大略構成として、略箱状の本体部１と、回転軸２を支点として本体部１に対して開閉自在に設けられた第１扉体３と、第１扉体３の上部に配置された操作部４と、操作部４に隣接して配置された操作部５と、第１扉体３の上方で、かつ表示部５に隣接し、本体部１に対して凹んだ取手部４０に手を入れて引き出し可能に開閉できる洗剤収容容器６とを備えている。また、本体部１の上面には、後述する給水器２５の一部が露出されている。
【００２１】
本体部１の下部には、本体部１に対して開閉自在に設けられた第２扉体４５が設けられており、第２扉体４５を開けると、第２扉体４５の内部には、フィルタ部材５０が配設されており、フィルタ部材５０の把持部５１が露出されている。
【００２２】
本体部１へ衣類を投入、或いは本体部１から衣類を取り出すときには、扉体３を開いて行う。また、紛体状の粉末洗剤や液体洗剤や液体仕上剤などを洗剤収容容器６に投入するときは、本体部１から洗剤収容容器６を引き出して行う。粉末洗剤等を洗剤収容容器６に投入後は、洗剤収容容器６を押し込んで本体部１側に収納する。操作部４を操作することで本体部１に電源が投入でき、また、洗い、すすぎ、脱水など、各種洗濯コースも選択できる。その選択結果や選択した洗濯コースが完了するまでの時間情報、各種洗濯行程進行状況、洗濯完了情報等が表示部５に表示されるようになっている。
【００２３】
次に、本体部１が有する各構成要素について説明する。
【００２４】
図２に示すように、本体部１には投入口７が設けられ、環状パッキン８、回転ドラム１０、水槽１１、モータ１２が収容されている。
【００２５】
投入口７は、本体部１の正面側に形成され、扉体３により開閉自在に閉塞され、扉体３を開放することにより、投入口３より衣類の出し入れができるようになっている。
【００２６】
環状パッキン８は、投入口７と水槽１１との間に配置される。投入口７と水槽１１との間の隙間に、衣類が嵌入したり、洗濯水が脱落することを防止する。
【００２７】
回転ドラム１０は、有底円筒形に形成され、外周部に多数の通水孔１４が設けられ、本体部１内に揺動自在に支持された水槽１１内に回転自在に配設されている。回転ドラム１０の軸心方向は正面側から背面側に向けて下向きに傾斜させている（図２では、右上がり方向に図示されている）。回転ドラム１０の通水孔１４は、水槽１１内の洗濯水が回転ドラム１０の内外に通過できるようになっている。
【００２８】
モータ１２は、水槽１１の背面側に取り付けており、水槽１１内の回転ドラム１０を正転、逆転方向に回転駆動する。
【００２９】
回転ドラム１０の内壁面には、突起部１３が複数設けられている。この突起部１３は、回転ドラム１０を低速で回転させることにより、衣類を突起部１３で引っ掛けて上方に持ち上げた後、適当な高さで落下させるといった撹拌動作（タンブリング動作）を与えることにより、衣類の撹拌たたき洗い、および乾燥動作などを行う。
【００３０】
また、水槽１１の下方に配置されたダンパー１５および水槽１１の上方に配置されたばね体１６により、本体部１に対して水槽１１が揺動自在に防振支持されている。
【００３１】
水槽１１の上部側には、給水器２５と、洗剤収容容器６を含む洗剤収容部２６と、プリント基板から構成され制御回路を有する制御部２７と、が配置されている。洗剤収容部２６は、洗剤収容容器６と、給水部材３０と、送水部材３１と、接続管部材３２と、から構成される。
【００３２】
給水部材３０には、水道蛇口に接続される給水器２５が接続されている。送水部材３１は、給水部材３０の下方に設けられており、洗剤収容容器６を引き出し可能に保持している。
【００３３】
接続管部材３２は、一端が送水部材３１に接続され、他端は水槽１１に接続される。洗剤収容容器６は、前述したように、本体部１に対して引き出し可能であり、図２では、本体部１から引き出した状態を２点鎖線で示している。
【００３４】
水槽１１の背面側の下部には、排水口１７が設けられ、この排水口１７は、排水管１９を介してケース部材６０に接続されている。ケース部材６０には、排水コック１８が取り付けられており、排水コック１８が開くことで、水槽１１内の洗濯水を本体部１の外部に排水ホース３５を介して排水する。
【００３５】
また、ケース部材６０には、循環ポンプ２１が取り付けられており、この循環ポンプ２１は、循環経路２２を経由して水槽１１に設けた噴射口２３に接続されている。洗い行程においては、循環ポンプ２１の動作により、排水口１７から吸い込まれた洗濯水が、ケース部材６０を通過し、噴射口２３から回転ドラム１０内の洗濯物に向けて噴射され、洗濯物に洗濯水を含ませる動作を行い、洗濯水が循環することで、洗い効果を高めることができる。なお、すすぎ行程の場合は、排水口１７から吸い込まれたすすぎ水が、ケース部材６０を通過し、噴射口２３から回転ドラム１０内の洗濯物に向けて噴射されることで、洗濯物に含まれる洗剤液を除去する動作を行い、そのすすぎ水が循環することで、すすぎ効果を高める。
【００３６】
また、水槽１１の前面下部には、噴射口２３より高い位置に、溢水ホース３７が形成され、この溢水口３６は、溢水ホース３７を介して、排水ホース３５に接続されている。
【００３７】
さらに、ケース部材６０の内部には、フィルタ部材５０が着脱可能に収容されている。
【００３８】
次に、図３を用いて説明する。ケース部材６０は、ケース流入路６１と、ケース排出路６２と、循環ポンプ接続部６３と、コック取付部６４と、フィルタ部材装着部６５と、溢水経路接続部６６とを備えている。
【００３９】
ケース流入路６１には、排水管１９が接続され、水槽１１の底部に設けられた排水口１７と連通している。ケース排出路６２には、排水ホース３５が接続されている。循環ポンプ接続部６３には、循環ポンプ２１が取付けられる。コック取付部６４には、排水コック１８が取付けられ、排水コック１８が開状態となることで、ケース排出路６２にケース部材６０内の洗濯水が排水されるように構成している。フィルタ部材装着部６５には、フィルタ部材５０が着脱可能に取付けられる。溢水経路接続部６６には、溢水ホース３７が接続され、水槽１１に設けられた溢水口３６と連通している。
【００４０】
ケース部材６０は、内部に空間部を有し、この空間部内に、フィルタ部材５０の把持部５１の一端側に設けられたフィルタ部５２が収容されている。
【００４１】
この構成により、排水時においては、コック取付部６４に取り付けられた排水コック１８が開状態となるので、ケース流入路６１から流入した洗濯水は、フィルタ部５２を経た後、ケース排出路６２を通って、排水ホース３５に流れ出されることとなる。
【００４２】
また、洗い行程時およびすすぎ行程時の循環ポンプ２１の動作時においては、循環ポンプ接続部６３に取り付けられた循環ポンプ２１の動作により、ケース流入路６１から流入した洗濯水は、フィルタ部５２を経た後、循環ポンプ接続部６３、循環ポンプ２１、循環経路２２を経由して水槽１１に設けた噴射口２３から回転ドラム１０内の洗濯物に向けて噴射されることとなる。
【００４３】
フィルタ部５２は、着脱方向に長く形成され、底部５３と、底部５３の左右端部に形成された側部５４と、底部５３および側部５４に形成された多数の枡形貫通孔５５とを備える。把持部５１は、フィルタ部５２の一端に設けられている。前述した第２扉体４５を開くと露見され、把持部５１を所定方向に回転させるとロックが解除される。この解除された状態で、引き抜き可能になる。さらに取り外されたフィルタ部材５０は、外部からフィ
ルタ部材装着部６５に挿入され、前述の所定方向とは反対方向に回転させることでロックさせることができる。
【００４４】
次に、図４、５を用いて説明する。図４は、図３のフィルタ部材を矢印Ａ方向から見た状態を表した平面図である。フィルタ部５２は、底部５３と、底部５３の左右端部に形成された側部５４と、フィルタ部材５０の後側を形成する後部４９とから構成されている。
【００４５】
ケース流入路６１は、ケース部材６０の上面側に形成されており、流入した洗濯水がフィルタ部５２上に落下するよう構成されている。また、ケース部材６０の正面から見て左側（図４の下側）には、ケース排出路６２、循環ポンプ接続部６３、コック取付部６４が形成されており、フィルタ部５２の側部５４のうち、正面から見て右側（図４の上側）を第１側部５４ａとし、正面から見て左側（図４の下側）を第２側部５４ｂとしている。
【００４６】
底部５３には、複数の枡形貫通孔５５を有している。この複数の枡形貫通孔５５は、長辺が長さａ、短辺が長さｂの略長方形状であり、長辺方向に隙間ｃを空けて複数並んでいる。また、短辺方向には隙間ｄを空けて並んでいる。この複数の枡形貫通孔５５は、正面から見て右側（図４の上側）に位置する第１列孔群５６と、正面から見て左側（図４の下側）に位置する第２列孔群５７とからなり、この第１列孔群５６と第２列孔群５７の間に、第１帯状部５８を設けている。この第１帯状部５８は、複数の枡形貫通孔５５を左右の第１列孔群５６と第２列孔群５７に分けるように、隙間ｅを有している。隙間ｅは、枡形貫通孔５５の短辺の長さｂより幅を広くして前後方向に略直線状に配設されている。好ましくは、ｂ＜ｅ＜ｂ＋３ｃ程度の幅を持つのがよい。
【００４７】
さらに、底部５３には、複数の突起６７を有している。この複数の突起６７は、複数本を左右方向に間隔ｆを設けて並べた突起列を、間隔ｇを設けて前後方向に複数列（第１突起列６８、第２突起列６９）設けている。間隔ｇは、間隔ｆのおおよそ２倍以上の大きさとしている。
【００４８】
生命工学工業技術研究所が発行した「設計のための人体寸法データ集」（１９９４）によると、第二指遠位関節幅は１４ｍｍ（９５パーセンタイル）と記載されているので、一般の使用者を考慮し、かつ、指で清掃しやすくするために、間隔ｇは１０ｍｍ以上とすることが望ましい。
【００４９】
図５に示すように、第１側部５４ａも、前後方向に長い複数の枡形貫通孔５５を有している。この枡形貫通孔５５は、長辺が長さｈ、短辺が長さｉの略長方形状であり、上下方向に隙間ｊを空けて複数並んだ枡形貫通孔列を、間隔ｈを設けて前後方向に複数列（第１枡形貫通孔列７１、第２枡形貫通孔列７２）設け、この第１枡形貫通孔列７１と第２枡形貫通孔列７２の間には、第１枡形貫通孔列７１および第２枡形貫通孔列７２より幅が広い枡形貫通孔を設けない第２帯状部５９を配設した。
【００５０】
次に、洗濯水の流れについて説明する。
【００５１】
水槽１１内の洗濯水は、排水コック１８が開状態になると機外へ排出される。具体的には、排水コック１８が動作して開状態となったときは、水槽１１内の洗濯水がケース流入路６１からケース部材６０に入った洗濯水は、底部５３の複数の枡形貫通孔５５を通った後、矢印Ｂのように、ケース排出路６２へ排出される。
【００５２】
一方、排水コック１８の停止中（排水コック１８閉状態）において、循環ポンプ２１が動作すると、水槽１１内の洗濯水は、ケース流入路６１を通り、底部５３の複数の枡形貫通孔５５を通った後、矢印Ｃのように、循環ポンプ接続部６３を通り、再び水槽１１に供
給される。
【００５３】
すなわち、水槽１１から排出される洗濯水は、機外へまたは再び水槽１１に供給されるものであり、この洗濯水は、必ずフィルタ部５２を通過するように構成されている。
【００５４】
次に、図６〜図８を用いて説明する。
【００５５】
図６（ａ）は、第１帯状部５８を挟んだ枡形貫通孔５５に糸くず・髪の毛７０が挿通している状態を表している。使用者は、図６（ｂ）に示すように、枡形貫通孔５５より幅の広い枡形貫通孔５５を設けない第１帯状部５８を、矢印のように、前後方向に、爪や指先、あるいは箸、歯ブラシなどの日常品でなぞることで、フィルタ部材５０の枡形貫通孔５５によって第１帯状部５８に引っ掛かり捕集された大半の糸くず・髪の毛７０を寄せ集めて塊にすることで、フィルタ部材５０から糸くず・髪の毛７０を、容易に除去することができる。
【００５６】
図７（ａ）は、１本の突起６７に糸くず・髪の毛７０が巻きつく様に捕集された状態を表している。複数の突起６７は、複数本を左右方向に間隔ｆを設けて並べた突起列を、間隔ｇを設けて前後方向に複数列（第１突起列６８、第２突起列６９）設けており、間隔ｇは、間隔ｆのおおよそ２倍以上の大きさ（間隔ｇは、１０ｍｍ以上）としているので、図７（ｂ）に示すように、爪や指先、あるいは先端が比較的細い身の周りの日用品（箸、歯ブラシなど）の先端が、第１突起列６８、第２突起列６９の間からでも突起６７の根元に届くようにすることができ、突起６７の根元から上方向に、爪や指先を引き上げることで、複数本の突起６７に絡みついた糸くず・髪の毛７０を容易に取り除くことができる。
【００５７】
図８（ａ）は、第２帯状部５９を挟んだ枡形貫通孔５５に糸くず・髪の毛７０が挿通している状態を表している。使用者は、図８（ｂ）に示すように、枡形貫通孔５５より幅の広い枡形貫通孔５５を設けない第２帯状部５９を、矢印のように、上方向に、爪や指先、あるいは箸、歯ブラシなどの日常品でなぞることで、フィルタ部材５０の枡形貫通孔５５によって第２帯状部５９に引っ掛かり捕集された大半の糸くず・髪の毛７０を寄せ集めて塊にすることで、フィルタ部材５０から糸くず・髪の毛を、容易に除去することができる。
【産業上の利用可能性】
【００５８】
以上のように、本発明にかかる洗濯機は、フィルタ部材の枡形貫通孔に捕集された大半の糸くず・髪の毛を寄せ集め、フィルタ部材から容易に除去することができるので、ドラム式洗濯機のみならず、パルセータ式洗濯機にも適用できる。
【符号の説明】
【００５９】
１１  水槽
４５  第２扉体
５０  フィルタ部材
５１  把持部
５２  フィルタ部
５３  底部
５４  側部
５４ａ  第１側部
５４ｂ  第２側部
５５  枡形貫通孔
５６  第１列孔群
５７  第２列孔群
５８  第１帯状部
５９  第２帯状部
６０  ケース部材
６１  ケース流入路
６２  ケース排出路
６３  循環ポンプ接続部
６４  コック取付部
６５  フィルタ部材装着部
６６  溢水経路接続部
６７  突起
６８  第１突起列
６９  第２突起列
７０  糸くず・髪の毛
【図１】
2015054107.tif 000003
【図２】
2015054107.tif 000004
【図３】
2015054107.tif 000005
【図４】
2015054107.tif 000006
【図５】
2015054107.tif 000007
【図６】
2015054107.tif 000008
【図７】
2015054107.tif 000009
【図８】
2015054107.tif 000010
【図９】
2015054107.tif 000011